(57)【要約】【課題】アイロン本体とスタンドの小型化を実現させ、使い勝手の良いアイロン装置を提供するものである。【解決手段】ヒータにより加熱されるベース、および前記ヒータと電気的に接続された給電端子を有する給電ピンを備えたアイロン本体と、前記アイロン本体を載置する載置部、およびその載置部に前記アイロン本体を載置した時に、前記アイロン本体の前記給電端子と電気的に接続される電極を有する給電部を備えたスタンドとを具備し、前記アイロン本体の前記給電ピンは、前記ベースの下面に臨ませて配設したものである。【選択図】  図１
2005034185.tif 000002
【特許請求の範囲】
【請求項１】
ヒータにより加熱されるベース、および前記ヒータと電気的に接続された給電端子を有する給電ピンを備えたアイロン本体と、前記アイロン本体を載置する載置部、およびその載置部に前記アイロン本体を載置した時に、前記アイロン本体の前記給電端子と電気的に接続される電極を有する給電部を備えたスタンドとを具備し、前記アイロン本体の前記給電ピンは、前記ベースの下面に臨ませて配設したアイロン装置。
【請求項２】
アイロン本体は、ベースにその一部を切除した凹部を設け、その凹部に給電ピンを臨ませて配設した請求項１記載のアイロン装置。
【請求項３】
アイロン本体は、ベースの中心の略中央に給電ピンを配設した請求項１記載のアイロン装置。
【請求項４】
アイロン本体は、アイロン本体の重心の略中央に給電ピンを配設した請求項１記載のアイロン装置。
【請求項５】
ヒータにより加熱されるベース、および前記ヒータと電気的に接続された給電端子を有する給電ピンを備えたアイロン本体と、前記アイロン本体を載置する載置部、およびその載置部に前記アイロン本体を載置した時に、前記アイロン本体の前記給電端子と電気的に接続される電極を有する給電部を備えたスタンドとを具備し、前記スタンドの給電部は、前記載置部の上面の略中央に配設したアイロン装置。
【請求項６】
スタンドの給電部は、載置部の上面より突出させて設けた請求項５記載のアイロン装置。
【請求項７】
ヒータにより加熱されるベース、および前記ヒータと電気的に接続された給電端子を有する給電ピンを備えたアイロン本体と、前記アイロン本体を載置する載置部、およびその載置部に前記アイロン本体を載置した時に、前記アイロン本体の前記給電端子と電気的に接続される電極を有する給電部を備えたスタンドとを具備し、前記アイロン本体の給電ピンを前記スタンドの給電部に鉛直方向から嵌合させて、前記アイロン本体の前記給電端子と前記スタンドの電極とを電気的に接続させるよう構成したアイロン装置。
【請求項８】
アイロン本体を任意の位相角度でスタンドに載置可能とした請求項１〜７のいずれか１項記載のアイロン装置。
【請求項９】
アイロン本体をスタンドに載置した時に、アイロン本体のベース下面がスタンドの給電部上面よりも下方となるよう構成した請求項１〜８のいずれか１項記載のアイロン装置。
【請求項１０】
スタンドの載置部に凹部を設け、アイロン本体をスタンドに載置した時に、この凹部にアイロン本体のベースを収納するよう構成した請求項１〜９のいずれか１項記載のアイロン装置。
【請求項１１】
アイロン本体は、ベース上方に配設したベースカバーと、前記ベースカバーの略中央に配設され、給電ピンを保持する把手裏板とを具備し、前記アイロン本体をスタンドに載置した時に、前記把手裏板を前記スタンドの略中央に設けた給電部で保持するよう構成した請求項１〜１０のいずれか１項記載のアイロン装置。
【発明の詳細な説明】
【０００１】
【従来の技術】
従来この種のアイロン装置は、埋設したヒータにより加熱される略三角形状のベースと、ベースの上面側を覆うベースカバーと、ベースカバー上に配設した把手体を固定し、把手体の上部には内部を中空にした棒状の握り部を形成している。また、アイロン後部に給電端子を有した給電ピンを形成しており、スタンド上面にはアイロン本体の給電ピンと電気的に接続する電極を有する給電部を形成しており、アイロン本体を立てた状態で電気的に接続させていた（例えば特許文献１参照）。
【０００２】
【特許文献１】
特開昭６３−１３２７００号公報（第１図）
【０００３】
【発明が解決しようとする課題】
しかしながら、上記従来のアイロン装置では、アイロン本体を垂直に立てた状態で、スタンド上に形成した台形状の給電部にセットする必要があり、給電部が台形状のため、セットし辛く使い勝手が非常に悪いものであった。また、給電中は加熱されたベース表面が露出しているために常に安全性に気を配りながらアイロンかけする必要があった。
【０００４】
本発明は、上記構造上の限界を克服すると共に、アイロン本体とスタンドの小型化を実現させ、使い勝手の良いアイロン装置を提供するものである。
【０００５】
【課題を解決するための手段】
上記課題を解決するために本発明は、ヒータにより加熱されるベース、および前記ヒータと電気的に接続された給電端子を有する給電ピンを備えたアイロン本体と、前記アイロン本体を載置する載置部、およびその載置部に前記アイロン本体を載置した時に、前記アイロン本体の前記給電端子と電気的に接続される電極を有する給電部を備えたスタンドとを具備し、前記アイロン本体の前記給電ピンは、前記ベースの下面に臨ませて配設したものであり、使用者がアイロン本体をスタンドにセットする場合には、ベース面を下側に向けたまま移動させることができ、安全かつ容易にアイロンかけを行うことができる。
【０００６】
【発明の実施の形態】
上記の目的を達成するために本発明は、ヒータにより加熱されるベース、および前記ヒータと電気的に接続された給電端子を有する給電ピンを備えたアイロン本体と、前記アイロン本体を載置する載置部、およびその載置部に前記アイロン本体を載置した時に、前記アイロン本体の前記給電端子と電気的に接続される電極を有する給電部を備えたスタンドとを具備し、前記アイロン本体の前記給電ピンは、前記ベースの下面に臨ませて配設したものであり、使用者がアイロン本体をスタンドにセットする場合には、ベース面を下側に向けたまま移動させることができ、安全かつ容易にアイロンかけを行うことができるものである。
【０００７】
また、アイロン本体は、ベースにその一部を切除した凹部を設け、その凹部に給電ピンを臨ませて配設したものであり、使用者がアイロンかけを行なう際に給電ピンが衣類に引っ掛かり、衣類を傷めることなくアイロンかけを行なうことができるものである。
【０００８】
また、アイロン本体は、ベースの中心の略中央に給電ピンを配設したものであり、均一な温度分布を実現することができ、高品質なアイロン装置とすることができる。
【０００９】
また、アイロン本体の重心の略中央に給電ピンを配設したものであり、アイロン本体のバランスを良くすることができ、移動時に使用者にかかる負担を軽減させると同時に、スタンド載置時における接点の接触状態をより確実にするものである。
【００１０】
また、ヒータにより加熱されるベース、およびヒータと電気的に接続された給電端子を有する給電ピンを備えたアイロン本体と、アイロン本体を載置する載置部、およびその載置部にアイロン本体を載置した時に、アイロン本体の給電端子と電気的に接続される電極を有する給電部を備えたスタンドとを具備し、スタンドの給電部は、載置部の上面の略中央に配設したものであり、アイロン本体のバランスを良くすることができ、スタンドへの移動時おける使用者にかかる負担を軽減させるものである。
【００１１】
また、スタンドの給電部は、載置部の上面より突出させたものであり、アイロン本体をスタンドに戻す際の目標及び、ガイドの役目をはたし、アイロン装置としての使い勝手を良くするものである。
【００１２】
また、ヒータにより加熱されるベース、および前記ヒータと電気的に接続された給電端子を有する給電ピンを備えたアイロン本体と、アイロン本体を載置する載置部、およびその載置部に前記アイロン本体を載置した時に、アイロン本体の給電端子と電気的に接続される電極を有する給電部を備えたスタンドとを具備し、アイロン本体の給電ピンをスタンドの給電部に鉛直方向から嵌合させて、アイロン本体の給電端子と前記スタンドの電極とを電気的に接続させるよう構成したものであり、給電時にアイロン本体重量を接点の接触部に加えることができることから、長期にわたって電極に加わるバネ性を確保することができ、通電動作をより確実なものをすることができる。
【００１３】
また、アイロン本体を任意の位相角度でスタンドに載置可能とすることで、使用者はスタンドの方向性を気にすることなく載置することができ、アイロン装置としての使い勝手を良くするものである。
【００１４】
また、アイロン本体をスタンドに載置した時に、アイロン本体のベース下面がスタンドの給電部上面よりも下方となるよう構成したものであり、アイロン本体構成上最も重量のあるベースが下方に位置することから、複数設けたアイロン側の給電ピンに対してバランスよくスタンド側の給電部に載せることができ、通電動作をより確実なものをすることができる。
【００１５】
また、スタンドの載置部に凹部を設け、アイロン本体をスタンドに載置した時に、この凹部にアイロン本体のベースを収納するよう構成したものであるから、アイロン本体とスタンドからなるアイロン装置をコンパクトにまとめることができ、かつ、加熱されたベース面が外部に露出しないことから、載置時におけるベースの保温性を高め、通電回数を少なくすることができ省エネルギーなアイロンを実現するものである。
【００１６】
また、アイロン本体は、ベース上方に配設したベースカバーと、前記ベースカバーの略中央に配設され、給電ピンを保持する把手裏板とを具備し、前記アイロン本体をスタンドに載置した時に、前記把手裏板を前記スタンドの略中央に設けた給電部で保持するよう構成したものであるから、加熱されたベース面が樹脂材料で構成されたスタンド構成部品に接触することがないため、樹脂表面温度を下げることができることから、これまで熱硬化性樹脂を使わざるを得なかった箇所にも熱可塑性樹脂を使用することができ、これまで以上にデザイン色を高めたアイロン装置を提供できるものである。
【００１７】
【実施例】
以下、本発明の実施例について図面を参照しながら説明する。
【００１８】
本発明のアイロン装置１は、アイロン本体２及びスタンド３から構成されている。
【００１９】
図１はアイロン本体２であり、内外周を同心円で形成し中央部をくり抜くことで凹部を設けたベース４の上にベース４同様に中央部をくり抜いた略円形状のヒータ部５、円形状のベースカバー６、半球状の中間カバー７、側面に握り部（図示せず）を形成した半球状の表面カバー８を順に略同軸上に重ねたものであり、先端に給電端子９を機械的に締結させた給電用の給電ピン１２をベース４下面より上方にくるよう、ベース４中央部に設けた空洞部１０より下方に臨ませ、空洞部１０の下方側を把手裏板１１で塞いだものである。
【００２０】
ヒータ部５は、図２に示すように、ヒータ脇マイカ１３、熱線１４を巻き付けたヒータ巻きマイカ１５、ヒータ押え板１６により構成されており、ベース４の上にヒータ脇マイカ１３、ヒータ巻きマイカ１５、ヒータ脇マイカ１３、ヒータ押え板１６の順に積み上げられている。そして、ヒータ押え板１６の上方には、ヒータ部５による加熱温度の上限値を決定するサーモスタット１７と温度ヒューズ１８、およびヒータ部５に通電される時などに点灯するランプ１９とが備えられている。
【００２１】
図３にはスタンド３が示されており、載置部２０を円形状とし、略中央に載置部２０と同心円の給電部２１を突出配置させたものであり、給電部２１上面を載置部２０上面よりも上位になるように配置させ、給電部２１内部には電極２２を取り付けた昇降台２３を備えており、この昇降台２３は昇降バネ２４により上方向に付勢されており、電極２２には電源コード２５を接続している。
【００２２】
なお、本実施例では、ベース４の形状を円形としているため、アイロン本体２の重心がベース４の中央とほぼ一致している。
【００２３】
上記の構成において、使用者はアイロン本体２の表面カバー８を掴みながらアイロンかけを行うため、従来のアイロンのような棒状の握り部が必要なくアイロン本体２の小型化を実現できるものである。
【００２４】
また、アイロン本体２には電源コード２５がついておらず、ベース４外周が円形であることや表面カバー８が半球状であることから、使用者はアイロンを掛ける際に方向性を気にする必要がなく、かつ、握り部（図示せず）の形状が従来のような棒状でなく、掌全体で表面カバー８を保持して作業できることから、力の弱い子供やお年寄りにとって使い易いアイロンを提供できるものである。
【００２５】
そして、アイロンの温度が低下すると再度加熱するためにスタンド３へ戻すことになる。アイロン本体をスタンド３に戻す際に、使用者はアイロン本体２内にある給電ピン１２の位置がわかりにくくなっているが、スタンド３中央に設けた給電部２１が載置部２０の上面よりも突出させているので目標となり、かつ、ベース４内壁及びベースカバー６内壁により給電部２１をガイドしながら誘導し、最終的に給電部２１上面に把手裏板１１を鉛直方向より載置することにより、アイロン本体２の給電端子９とスタンド３の電極２２とが電気的に接続される。
【００２６】
また、載置部２０及び給電部２１が同心の円形状としているため、使用者は任意の位相角度でアイロン本体２をスタンド３に載置することができ、使用する時に持ちやすい向きに回してからアイロン本体２を持つことができるようにしてある。
【００２７】
なお、この両方の外周形状を略正多角形状にしても良い。この形状の場合は、アイロン本体２をスタンド３に載せられる向きは限られる反面、載せた状態で不用意に回転してしまうということを防止できる。
【００２８】
更に、加熱されたベース４は熱可塑性樹脂で形成されたスタンド３に接触することがなく、樹脂表面温度の低減を可能にすると同時に、載置部２０側面でベース４を覆い隠すことから、高温となったベース４に不用意に触れてしまうことを完全に防止でき、極めて安全な構造とすることができる。
【００２９】
また、アイロン本体２に設けた把手裏板１１をスタンド３上に形成した給電部２１で保持し、同時にベース４下面部が給電部２１上面よりも下方に位置することから、給電端子９を先端に備えた給電ピン１０にアイロン本体２の自重が加わり、長期間にわたる使用において昇降バネ２４のバネ性が劣化した場合でも、電極２２との接触圧を十分確保することができ、安定した電力供給を可能にするものである。
【００３０】
また、アイロン掛けが終了した時は、アイロン本体２をスタンド３に収納するが、この時アイロン装置１は図４に示すように球状をなしており、コンパクトに纏め上げただけでなく、アイロン装置１が球状となっていることからインテリアとして違和感のない形状のため、収納の必要性を感じさせないものである。
【００３１】
【発明の効果】
本発明は、ヒータにより加熱されるベース、および前記ヒータと電気的に接続された給電端子を有する給電ピンを備えたアイロン本体と、前記アイロン本体を載置する載置部、およびその載置部に前記アイロン本体を載置した時に、前記アイロン本体の前記給電端子と電気的に接続される電極を有する給電部を備えたスタンドとを具備し、前記アイロン本体の前記給電ピンは、前記ベースの下面に臨ませて配設したものであり、使用者がアイロン本体をスタンドにセットする場合には、ベース面を下側に向けたまま移動させることができ、安全かつ容易にアイロンかけを行うことができるものである。
【図面の簡単な説明】
【図１】本発明の実施例を示すアイロン本体の横断面図
【図２】本発明の実施例を示すヒータ部付近の横断面図
【図３】本発明の実施例を示すスタンドの横断面図
【図４】本発明の実施例を示すアイロン装置の横断面図
【符号の説明】
１  アイロン装置
２  アイロン本体
３  スタンド
４  ベース
５  ヒータ部
６  ベースカバー
９  給電端子
１０  空洞部
１１  把手裏板
１２  給電ピン
１３  ヒータ脇マイカ
１４  熱線
１５  ヒータ巻きマイカ
１６  ヒータ押え板
２０  載置部
２１  給電部
【図１】
2005034185.tif 000003
【図２】
2005034185.tif 000004
【図３】
2005034185.tif 000005
【図４】
2005034185.tif 000006